(57)【要約】【課題】中皿のみを離脱させて交換することが可能であり、かつ、従来よりも衝撃吸収性に優れた衝撃吸収機能付きコンパクト容器を提供する。【解決手段】交換可能な中皿７が収納される中皿収納部２が形成された容器本体３と、容器本体に開閉自在に蝶着される蓋体５とを備えたコンパクト容器１であって、中皿収納部には、中皿収納部の底面２ａから内周面２ｂを連続的に覆う、ゲル素材からなるシート状の衝撃吸収部材１４が設けられ、衝撃吸収部材の内側面は中皿を着脱自在に保持しうる粘着性を有し、中皿収納部に収納された中皿を離脱自在に密着保持するとともに、衝撃吸収部材の外側面には固定用フィルム１５が設けられ、衝撃吸収部材は固定用フィルムを介して中皿収納部の底面および内周面に固定される。【選択図】図１
2007075542.tif 000002
【特許請求の範囲】
【請求項１】
交換可能な中皿が収納される中皿収納部が形成された容器本体と、該容器本体に開閉自在に蝶着される蓋体とを備えたコンパクト容器であって、
上記中皿収納部には、該中皿収納部の底面から内周面を連続的に覆う、ゲル素材からなるシート状の衝撃吸収部材が設けられ、
該衝撃吸収部材の内側面は上記中皿を着脱自在に保持しうる粘着性を有し、上記中皿収納部に収納された中皿を離脱自在に密着保持するとともに、
該衝撃吸収部材の外側面には固定用フィルムが設けられ、当該衝撃吸収部材は該固定用フィルムを介して上記中皿収納部の上記底面および上記内周面に固定される
ことを特徴とする衝撃吸収機能付きコンパクト容器。
【発明の詳細な説明】
【技術分野】
【０００１】
本発明は、中皿のみを離脱させて交換することが可能であり、かつ、従来よりも衝撃吸収性に優れた衝撃吸収機能付きコンパクト容器に関する。
【背景技術】
【０００２】
従来、化粧料を充填した中皿が容器本体内に収納されるコンパクト容器の中には、それが落下されるなどして衝撃が加わった場合に化粧料に割れが生じるのを防止すべく、中皿に加わる衝撃を吸収するようにした衝撃吸収機能付きのコンパクト容器が知られている。
【０００３】
例えば特許文献１の「コンパクト容器」では、容器本体に蓋体を枢着し、容器本体の一側壁と底壁を切除して開口部を設け、この開口部に摺動底部を出入り可能に設け、固形化粧料を収納した中皿（レフィル容器）を、摺動底部の内底面上に設けた、中皿の底面積よりも小さい緩衝材で載支したコンパクト容器が開示されている。緩衝材の素材としてはポリウレタン、合成ゴムなどが例示されている。また、緩衝材は摺動底部の内底面上、および中皿の底面下側に接着されている。
【特許文献１】実開平３−１３９０８号公報
【発明の開示】
【発明が解決しようとする課題】
【０００４】
ところで、特許文献１の技術にあっては、中皿、緩衝材、摺動底部が接着により一体化されているので、新たな化粧料を使用すべく中皿を交換する際には、緩衝材および摺動底部ごと交換しなければならなかった。すなわち、中皿のみを離脱させて交換することができなかった。
【０００５】
また、ポリウレタンや合成ゴムなどを素材とする緩衝材は、実際にはさほど柔軟でなく比較的硬質であって、具体的には最大減速度や減衰率などの点においてさほど優れた衝撃吸収性を発揮しなかった。
【０００６】
本発明は上記従来の課題に鑑みて創案されたものであって、中皿のみを離脱させて交換することが可能であり、かつ、従来よりも衝撃吸収性に優れた衝撃吸収機能付きのコンパクト容器を提供することを目的とする。
【課題を解決するための手段】
【０００７】
本発明にかかる衝撃吸収機能付きコンパクト容器は、交換可能な中皿が収納される中皿収納部が形成された容器本体と、該容器本体に開閉自在に蝶着される蓋体とを備えたコンパクト容器であって、上記中皿収納部には、該中皿収納部の底面から内周面を連続的に覆う、ゲル素材からなるシート状の衝撃吸収部材が設けられ、該衝撃吸収部材の内側面は上記中皿を着脱自在に保持しうる粘着性を有し、上記中皿収納部に収納された中皿を離脱自在に密着保持するとともに、該衝撃吸収部材の外側面には固定用フィルムが設けられ、当該衝撃吸収部材は該固定用フィルムを介して上記中皿収納部の上記底面および上記内周面に固定されることを特徴とする。
【発明の効果】
【０００８】
本発明にかかる衝撃吸収機能付きコンパクト容器にあっては、中皿のみを離脱させて交換することが可能であり、かつ、従来よりも衝撃吸収性に優れる。
【発明を実施するための最良の形態】
【０００９】
以下に、本発明にかかる衝撃吸収機能付きコンパクト容器（以下、単にコンパクト容器という）の好適な実施形態を、添付図面を参照して詳細に説明する。第１の実施形態にかかるコンパクト容器１は、図１〜図５に示すように、凹状の中皿収納部２が形成された容器本体３と、内側に鏡４が設けられた蓋体５とから主に構成される。中皿収納部２には、化粧料６が充填される中皿７が交換可能に収納され、これにより化粧料６の交換（レフィル）が可能となっている。容器本体３の、中皿収納部２よりも前端側には凹状の化粧用具収納部８が形成されており、例えばブラシなどの化粧用具がここに収納される。
【００１０】
本実施形態の容器本体３および蓋体５は、いずれも合成樹脂製であって、その平面形状は四隅が円弧をなすほぼ矩形状である。容器本体３に形成された中皿収納部２と化粧用具収納部８の平面形状も、同様に四隅が円弧をなすほぼ矩形状である。容器本体３の中皿収納部２および化粧用具収納部８の外側は周壁９によって囲繞されており、中皿収納部２と化粧用具収納部８とは隔壁１０によって区画されている。
【００１１】
容器本体３と蓋体５との間には、容器本体３を開閉するために当該容器本体３に対して蓋体５を回動自在に蝶着する蝶番機構１１が設けられている。この蝶番機構１１は、容器本体３の後端側の周壁９に一対突設された蝶番ブロック１１ａ間に、蓋体５に形成された蝶番片１１ｂが挟み込まれ、これら蝶番ブロック１１ａから蝶番片１１ｂにわたって、蝶番ピン１１ｃが挿通されて構成されており、蝶番片１１ｂが蝶番ブロック１１ａに対し蝶番ピン１１ｃ周りに回動されるようになっている。
【００１２】
また容器本体３と蓋体５との間には、蝶番機構１１と反対側（コンパクト容器１の前端側）に、容器本体３の閉止状態を維持するためのフック機構１２が設けられている。このフック機構１２は、容器本体３の前端側の周壁９の中央付近に形成されたフック凹所１２ａと、当該フック凹所１２ａの後端側壁面に設けられたフック用突起１２ｂと、蓋体５の前端から突出され上記フック用突起１２ｂに係脱自在に係合されるフック１２ｃとから構成される。
【００１３】
中皿７は、やはり合成樹脂で形成され、その平面形状は中皿収納部２の内周面２ｂに沿った、ほぼ矩形状である。中皿７は、この中皿収納部２内に上方から押し込まれて収納される。中皿収納部２の底面２ａの、後端側の一つの角付近には、中皿７を離脱させる際に容器本体３の下方からボールペンなど先の尖ったものを挿入して中皿７底面２ａを突き上げるためのレフィル孔１３が形成されている。
【００１４】
中皿収納部２には、中皿収納部２の底面２ａおよび内周面２ｂを覆う、ゲル素材からなる一枚のシート状の衝撃吸収部材１４が設けられている。中皿収納部２に収納された中皿７は、衝撃吸収部材１４の内側面に離脱自在に密着保持される。衝撃吸収部材１４は、ほぼ十字形の底面部１４ａと、当該十字形の４つの先端部が各内周面２ｂに沿って立ち上げられた立設部１４ｂとから一体的に形成されている。底面部１４ａは、その中心が中皿収納部２のほぼ中心部に重なるように、レフィル孔１３の部分を含めて、底面２ａの四隅付近の部分は覆わないように設けられている。各内周面２ｂに沿って各内周面２ｂの中央付近に立ち上げられた各立設部１４ｂの上端は、各内周面２ｂの上端付近にまで達している。
【００１５】
ゲル素材、シート状の衝撃吸収部材１４として、具体的には例えば（株）イノアックコーポレーションが販売するＮＡＧＦＬＥＸ（登録商標）を使用することができる。ゲル状のシートは一般的に、ゲル状でない樹脂やゴムなどの素材に較べ、最大減速度や減衰率などの衝撃吸収性に優れているため、本実施形態の衝撃吸収部材１４にあっては、従来のそれらの緩衝材と較べてより優れた衝撃吸収性を発揮する。その結果、コンパクト容器１の使用時や輸送時などに外部から加えられた落下などの衝撃が、当該衝撃吸収部材１４により高度に吸収されて中皿７にはほとんど伝達されないため、中皿７に充填された化粧料６がひび割れすることをより一層確実に防止することが可能となる。
【００１６】
衝撃吸収部材１４の外面側には固定用フィルム１５が設けられており、衝撃吸収部材１４は、当該固定用フィルム１５を介して中皿収納部２の底面２ａおよび内周面２ｂに接着により固定される。優れた柔軟性を有するゲル状シートの衝撃吸収部材１４は、その柔軟性ゆえに中皿収納部２の底面２ａや内周面２ｂに接着する作業などが困難なものとなりうるが、本実施形態のように固定用フィルム１５を一体的に設けたタイプのものを使用することにより、固定用フィルム１５が設けられた側の面に適度な剛性が与えられ、接着作業などの作業性や作業効率が向上するので好ましい。また、固定用フィルム１５は、例えばＰＥＴなどから形成されるが、一般にゲル素材の物質に直接接着剤を塗布するよりも、ＰＥＴなどからなるフィルムに接着剤を塗布する場合の方が接着剤の選択の幅が広がるため好ましい。
【００１７】
衝撃吸収部材１４として上記ＮＡＧＦＬＥＸを使用する場合には、その種類として、流通時などに衝撃吸収部材１４の表面を保護する保護フィルムがシートの両面に剥離可能に設けられているタイプと、片面は剥離可能に設けられ他方の面には一体的に設けられたタイプとがあるが、本実施形態では後者を使用し、剥離可能な側を内面側（中皿７側）、一体的に設けられた側を外面側（中皿収納部２側）となるよう配置し、当該外面側の保護フィルムをそのまま固定用フィルム１５として利用することができる。
【００１８】
また、衝撃吸収部材１４の種類として、固定用フィルム１５が剥離された表面の粘着性が強いものから弱いものまで様々なタイプがある。本実施形態では、中皿７を着脱自在に保持する上で適切な粘着性を有するものを選択することとすればよい。具体的には、コンパクト容器１を持ち運ぶ際や、中皿７に充填された化粧料６を使用する際に、中皿７が衝撃吸収部材１４から離脱したり衝撃吸収部材１４に対して相対移動して（ずれて）しまわぬよう、適度に強い粘着性を有するとともに、中皿７を交換する際などに離脱させやすいよう、過度に粘着性が強すぎないものを選択すればよい。
【００１９】
次に、本実施形態にかかるコンパクト容器１の作用について説明する。コンパクト容器１を使用するには、フック機構１２を解除し、蓋体５を開放して、ブラシやパフなどの化粧用具により、中皿収納部２に収納された中皿７の中の化粧料６を使用すればよい。
【００２０】
中皿７を交換するには例えば、まず、中皿収納部２の底面２ａに形成されたレフィル孔１３を介し、コンパクト容器１の下方から先鋭なもので中皿７の底面２ａを突き上げ、衝撃吸収部材１４の表面が有する粘着力により衝撃吸収部材１４の内側面に保持されている中皿７を引き離す。次に、中皿７を下方からさらに持ち上げて、中皿７のレフィル孔１３上方部分を中皿収納部２上端から上方に突出させる。次に、当該中皿７の突出部分を手指で把持して上方に持ち上げ、中皿７を中皿収納部２から離脱させる。別の新しい中皿７を中皿収納部２に装着するには、中皿７を中皿収納部２に上方から押し込み、中皿７の外面７ｂと衝撃吸収部材１４の内側面とを密着させ、衝撃吸収部材１４の表面が有する粘着性により中皿７を保持させる。
【００２１】
以上説明したように本実施形態にかかる衝撃吸収機能付きコンパクト容器１にあっては、交換可能な中皿７が収納される中皿収納部２が形成された容器本体３と、容器本体３に開閉自在に蝶着される蓋体５とを備え、中皿収納部２には、中皿収納部２の底面２ａから内周面２ｂを連続的に覆う、ゲル素材からなるシート状の衝撃吸収部材１４が設けられ、衝撃吸収部材１４の内側面は中皿７を着脱自在に保持しうる粘着性を有し、中皿収納部２に収納された中皿７を離脱自在に密着保持するとともに、衝撃吸収部材１４の外側面には固定用フィルム１５が設けられ、衝撃吸収部材１４は固定用フィルム１５を介して中皿収納部２の底面２ａおよび内周面２ｂに固定されることとしたので、新しい化粧料を使用する際などに、中皿７のみを離脱させて交換することが可能となる。従来、上記背景技術のように中皿７を緩衝材や摺動底部などとともに交換する必要があった場合には、緩衝材や摺動底部の分、コストが高くついてしまう上、中皿のみならず緩衝材や摺動底部も交換の都度廃棄されることになるので環境上の負荷も高くなってしまっていたが、本実施形態のコンパクト容器１では、中皿７のみを離脱させて交換することが可能であるので、コスト面や環境上の負荷の面において有利である。
【００２２】
また、ゲル状のシートは一般的に、ゲル状でない樹脂やゴムなどの素材に較べ、最大減速度や減衰率などの衝撃吸収性に優れているため、本実施形態の衝撃吸収部材１４にあっては、従来のそれらの緩衝材と較べてより優れた衝撃吸収性を発揮する。その結果、コンパクト容器１の使用時や輸送時などに、外部から加えられた落下などの衝撃により、中皿７に充填された化粧料６がひび割れすることをより一層確実に防止することが可能となる。
【００２３】
次に、本発明にかかるコンパクト容器の第２の実施形態について示す。第１の実施形態と同一の構成要素については同一の符号を付し、説明を省略する。図６に示す、第２の実施形態にかかるコンパクト容器１にあっては、中皿７の下面７ａ、すなわち中皿７の、衝撃吸収部材１４に粘着保持される面に、複数の凹部１６が形成されている。本実施形態にあっても第１の実施形態と同様の作用、効果を奏することはもちろんであるが、特に以下のような作用、効果を奏する。
【００２４】
これら凹部１６の形成された箇所においては中皿７と衝撃吸収部材１４とが互いに離間しているため、外部から衝撃が加えられた際に、衝撃吸収部材１４の底面部１４ａと中皿７の下面７ａとの間では、凹部１６以外の箇所に集中されて力が加わる。第１実施形態においては、衝撃吸収部材１４の底面部１４ａと中皿７の下面７ａとの間では、面方向に均一に力が加わるため、底面部１４ａは厚さ寸法が均一に低減するように変形することによって衝撃を吸収していた。これに比して本実施形態にあっては、面方向に部分的に力が加えられるため、底面部１４ａには、力が加えられる部分と加えられない部部との間で厚さ方向の剪断変形が生ずる。その結果、ゲル素材かつシート状の衝撃吸収部材１４の変形による衝撃吸収性がより一層高度に発揮され、中皿７に充填された化粧料６のひび割れをより一層確実に防止することが可能となる。また、これら各凹部１６の面積や形状などを調節することによって、粘着性を有する衝撃吸収部材１４の底面部１４ａの上面と、中皿７の下面７ａとの間の粘着力を調節することも可能となる。
【図面の簡単な説明】
【００２５】
【図１】本発明にかかる衝撃吸収機能付きコンパクト容器の第１実施形態を示す分解斜視図である。
【図２】図１のコンパクト容器の、平面図である。中皿は省略して示している。
【図３】図１のコンパクト容器の、蓋体を閉止した状態の縦断面図である。
【図４】図１のコンパクト容器の、図２に示すＡ−Ａ線による断面図である。
【図５】図１のコンパクト容器の、図２に示すＢ−Ｂ線による断面図である。
【図６】本発明にかかるコンパクト容器の第２実施形態を示す、図４に対応する断面図である。
【符号の説明】
【００２６】
１    衝撃吸収機能付きコンパクト容器
２    中皿収納部
２ａ  （中皿収納部の）底面
２ｂ  （中皿収納部の）内周面
３    容器本体
５    蓋体
７    中皿
１４  衝撃吸収部材
１５  固定用フィルム
【図１】
2007075542.tif 000003
【図２】
2007075542.tif 000004
【図３】
2007075542.tif 000005
【図４】
2007075542.tif 000006
【図５】
2007075542.tif 000007
【図６】
2007075542.tif 000008